(57)【要約】  本開示は、上り電力制御パラメータの設定方法、端末及びネットワーク装置を開示し、その方法は、ネットワーク装置から送信された電力制御パラメータセットを受信するステップと、電力制御パラメータセットの電力制御項のパラメータセットから、少なくとも１つの電力制御項に対して目標パラメータ設定インデックス値又は目標パラメータ値を選択するステップと、目標パラメータ設定インデックス値又は目標パラメータ値に基づいて、上りチャネル又は上り参照信号の目標送信電力を決定するステップと、を含む。【選択図】図１
2021510977.tif 000002
【特許請求の範囲】
【請求項１】
端末側に適用される上り電力制御パラメータの設定方法であって、
ネットワーク装置から送信された、少なくとも１つのパラメータ設定インデックス値又はパラメータ値を含む電力制御項のパラメータセットを少なくとも１つ含む電力制御パラメータセットを受信するステップと、
前記電力制御パラメータセットの電力制御項のパラメータセットから、第１の電力制御項に対して目標パラメータ設定インデックス値又は目標パラメータ値を選択するステップと、
前記目標パラメータ設定インデックス値又は目標パラメータ値に基づいて、上りチャネル又は上り参照信号の目標送信電力を決定するステップと、を含む上り電力制御パラメータの設定方法。
【請求項２】
第１の電力制御項に対して目標パラメータ設定インデックス値又は目標パラメータ値を選択するステップは、
下り制御情報ＤＣＩに基づいて、前記第１の電力制御項に対して前記目標パラメータ設定インデックス値又は目標パラメータ値を選択するステップと、
前記第１の電力制御項のデフォルトパラメータ設定インデックス値又はデフォルトパラメータ値を、前記第１の電力制御項の前記目標パラメータ設定インデックス値又は目標パラメータ値として決定するステップと、
決定されたパラメータ設定インデックス値又はパラメータ値の第２の電力制御項に基づいて、前記第１の電力制御項の前記目標パラメータ設定インデックス値又は目標パラメータ値を決定するステップと、のうちの少なくとも１つを含み、前記第２の電力制御項は、前記第１の電力制御項に関連する、請求項１に記載の上り電力制御パラメータの設定方法。
【請求項３】
下り制御情報ＤＣＩに基づいて、第１の電力制御項に対して目標パラメータ設定インデックス値又は目標パラメータ値を選択するステップは、
前記ＤＣＩに第１の電力制御項のパラメータ設定インデックス値又はパラメータ値を指示する目標指示フィールドが存在するか否かを検出するステップと、
前記目標指示フィールドを検出すれば、前記目標指示フィールドに基づいて、前記第１の電力制御項に対して前記目標パラメータ設定インデックス値又は目標パラメータ値を選択するステップとを含む、請求項２に記載の上り電力制御パラメータの設定方法。
【請求項４】
前記目標指示フィールドに基づいて、前記第１の電力制御項に対して前記目標パラメータ設定インデックス値又は目標パラメータ値を選択するステップの後に、
前記第１の電力制御項に基づいて、前記第１の電力制御項に関連する他の電力制御項の目標パラメータ設定インデックス値又は目標パラメータ値を決定するステップをさらに含む、請求項３に記載の上り電力制御パラメータの設定方法。
【請求項５】
ＤＣＩに目標指示フィールドが存在するか否かを検出するステップの後に、
前記目標指示フィールドを検出しなければ、第１の電力制御項のデフォルトパラメータ設定インデックス値又はデフォルトパラメータ値を、前記目標パラメータ設定インデックス値又は目標パラメータ値として決定し、或いは、決定されたパラメータ設定インデックス値又はパラメータ値の第２の電力制御項に基づいて、前記第１の電力制御項の目標パラメータ設定インデックス値又は目標パラメータ値を決定するステップをさらに含む、請求項３に記載の上り電力制御パラメータの設定方法。
【請求項６】
前記目標指示フィールドは、独立して符号化されるか、又は他の指示フィールドとジョイント符号化される、請求項３に記載の上り電力制御パラメータの設定方法。
【請求項７】
前記目標指示フィールドが独立して符号化されると、前記ＤＣＩに目標指示フィールドが存在するか否かを検出するステップの前に、
ネットワーク装置から送信された、前記ＤＣＩに目標指示フィールドが存在するか否かを指示する指示情報を受信するステップと、
前記指示情報を検出し、かつ前記指示情報が目標指示フィールドが存在することを指示すれば、前記ＤＣＩに目標指示フィールドが存在するか否かを検出するステップを実行するステップと、
前記指示情報を検出しなければ、第１の電力制御項のデフォルトパラメータ設定インデックス値又はデフォルトパラメータ値を、前記第１の電力制御項の目標パラメータ設定インデックス値又は目標パラメータ値として決定し、或いは、決定されたパラメータ設定インデックス値又はパラメータ値の第２の電力制御項に基づいて、前記第１の電力制御項の目標パラメータ設定インデックス値又は目標パラメータ値を決定するステップとをさらに含む、請求項６に記載の上り電力制御パラメータの設定方法。
【請求項８】
決定されたパラメータ設定インデックス値又はパラメータ値の第２の電力制御項に基づいて、前記第１の電力制御項の目標パラメータ設定インデックス値又は目標パラメータ値を決定するステップの前に、
前記電力制御パラメータセットの複数の電力制御項の間の関連関係を取得するステップをさらに含む、請求項２〜６のいずれか１項に記載の上り電力制御パラメータの設定方法。
【請求項９】
前記電力制御項は、目標受信電力、パスロス補償因子、パスロス計算参照用下りチャネル又は参照信号のリソース識別子、及び閉ループ電力制御のプロセス識別子のうちの少なくとも１種を含む、請求項１〜６のいずれか１項に記載の上り電力制御パラメータの設定方法。
【請求項１０】
前記上りチャネルは、物理上り制御チャネルＰＵＣＣＨ、物理上り共有チャネルＰＵＳＣＨ、及び物理ランダムアクセスチャネルＰＲＡＣＨのうちの少なくとも１つを含み、前記上り参照信号は、サウンディング参照信号ＳＲＳを含む、請求項１〜６のいずれか１項に記載の上り電力制御パラメータの設定方法。
【請求項１１】
ネットワーク装置から送信された、少なくとも１つのパラメータ設定インデックス値又はパラメータ値を含む電力制御項のパラメータセットを少なくとも１つ含む電力制御パラメータセットを受信する第１の受信モジュールと、
前記電力制御パラメータセットの電力制御項のパラメータセットから、第１の電力制御項に対して目標パラメータ設定インデックス値又は目標パラメータ値を選択する第１の決定モジュールと、
前記目標パラメータ設定インデックス値又は目標パラメータ値に基づいて、上りチャネル又は上り参照信号の目標送信電力を決定する第２の決定モジュールとを含む、端末。
【請求項１２】
前記第１の決定モジュールは、
下り制御情報ＤＣＩに基づいて、前記第１の電力制御項に対して前記目標パラメータ設定インデックス値又は目標パラメータ値を選択する第１の決定サブモジュールと、
前記第１の電力制御項のデフォルトパラメータ設定インデックス値又はデフォルトパラメータ値を、前記第１の電力制御項の前記目標パラメータ設定インデックス値又は目標パラメータ値として決定する第２の決定サブモジュールと、
決定されたパラメータ設定インデックス値又はパラメータ値の第２の電力制御項に基づいて、前記第１の電力制御項の目標パラメータ設定インデックス値又は目標パラメータ値を決定する第３の決定サブモジュールとのうちの少なくとも１つを含み、前記第２の電力制御項は、前記第１の電力制御項に関連する、請求項１１に記載の端末。
【請求項１３】
前記第１の決定サブモジュールは、
前記ＤＣＩに第１の電力制御項のパラメータ設定インデックス値又はパラメータ値を指示する目標指示フィールドが存在するか否かを検出する検出ユニットと、
前記目標指示フィールドを検出すれば、前記目標指示フィールドに基づいて、前記第１の電力制御項に対して前記目標パラメータ設定インデックス値又は目標パラメータ値を選択する第１の決定ユニットとを含む、請求項１２に記載の端末。
【請求項１４】
前記第１の決定サブモジュールは、
前記第１の電力制御項に基づいて、前記第１の電力制御項に関連する他の電力制御項の目標パラメータ設定インデックス値又は目標パラメータ値を決定する第２の決定ユニットをさらに含む、請求項１３に記載の端末。
【請求項１５】
前記第１の決定サブモジュールは、
前記目標指示フィールドを検出しなければ、第１の電力制御項のデフォルトパラメータ設定インデックス値又はデフォルトパラメータ値を、前記目標パラメータ設定インデックス値又は目標パラメータ値として決定し、或いは、決定されたパラメータ設定インデックス値又はパラメータ値の第２の電力制御項に基づいて、前記第１の電力制御項の目標パラメータ設定インデックス値又は目標パラメータ値を決定する第３の決定ユニットをさらに含む、請求項１３に記載の端末。
【請求項１６】
前記目標指示フィールドは、独立して符号化されるか、又は他の指示フィールドとジョイント符号化される、請求項１３に記載の端末。
【請求項１７】
前記目標指示フィールドが独立して符号化されると、ネットワーク装置から送信された、前記ＤＣＩに目標指示フィールドが存在するか否かを指示する指示情報を受信する第２の受信モジュールと、
前記指示情報を検出し、かつ前記指示情報が目標指示フィールドが存在することを指示すれば、ＤＣＩに目標指示フィールドが存在するか否かを検出するステップを実行する第１の処理モジュールと、
前記指示情報を検出しなければ、第１の電力制御項のデフォルトパラメータ設定インデックス値又はデフォルトパラメータ値を、前記目標パラメータ設定インデックス値又は目標パラメータ値として決定し、或いは、決定されたパラメータ設定インデックス値又はパラメータ値の第２の電力制御項に基づいて、前記第１の電力制御項の目標パラメータ設定インデックス値又は目標パラメータ値を決定する第２の処理モジュールとをさらに含む、請求項１６に記載の端末。
【請求項１８】
前記電力制御パラメータセットの複数の電力制御項の間の関連関係を取得する第１の取得モジュールをさらに含む、請求項１２〜１６のいずれか１項に記載の端末。
【請求項１９】
前記上りチャネルは、物理上り制御チャネルＰＵＣＣＨ、物理上り共有チャネルＰＵＳＣＨ、及び物理ランダムアクセスチャネルＰＲＡＣＨのうちの少なくとも１つを含み、前記上り参照信号は、サウンディング参照信号ＳＲＳを含む、請求項１１〜１６のいずれか１項に記載の端末。
【請求項２０】
プロセッサと、メモリと、前記メモリに記憶されて前記プロセッサ上で実行可能で、前記プロセッサによって実行されると、請求項１〜１０のいずれか１項に記載の上り電力制御パラメータの設定方法のステップを実現するコンピュータプログラムとを含む、端末。
【請求項２１】
ネットワーク装置側に適用される上り電力制御パラメータの設定方法であって、
少なくとも１つのパラメータ設定インデックス値又はパラメータ値を含む電力制御項のパラメータセットを少なくとも１つ含む電力制御パラメータセットを端末に送信するステップと、
前記端末によって目標送信電力で送信された上りチャネル又は上り参照信号を受信するステップと、を含み、前記目標送信電力は、前記端末によって前記電力制御パラメータセット中の第１の電力制御項の目標パラメータ設定インデックス値又は目標パラメータ値に基づいて決定される、上り電力制御パラメータの設定方法。
【請求項２２】
前記端末によって目標送信電力で送信された上りチャネル又は上り参照信号を受信するステップの前に、
第１の電力制御項のパラメータ設定インデックス値又はパラメータ値を指示する目標指示フィールドが搬送されている下り制御情報ＤＣＩを前記端末に送信するステップをさらに含む、請求項２１に記載の上り電力制御パラメータの設定方法。
【請求項２３】
前記目標指示フィールドは、独立して符号化されるか、又は他の指示フィールドとジョイント符号化される、請求項２２に記載の上り電力制御パラメータの設定方法。
【請求項２４】
前記目標指示フィールドが独立して符号化されると、目標指示フィールドが搬送されている下り制御情報ＤＣＩを前記端末に送信するステップの前に、
ＤＣＩに目標指示フィールドが存在するか否かを指示する指示情報を前記端末に送信するステップをさらに含む、請求項２３に記載の上り電力制御パラメータの設定方法。
【請求項２５】
前記端末によって目標送信電力で送信された上りチャネル又は上り参照信号を受信するステップの前に、
前記電力制御パラメータセット中の複数の電力制御項の間の関連関係を前記端末に送信するステップをさらに含む、請求項２１に記載の上り電力制御パラメータの設定方法。
【請求項２６】
前記電力制御項は、目標受信電力、パスロス補償因子、パスロス計算参照用下りチャネル又は参照信号のリソース識別子、及び閉ループ電力制御のプロセス識別子のうちの少なくとも１種である、請求項２１〜２５のいずれか１項に記載の上り電力制御パラメータの設定方法。
【請求項２７】
前記上りチャネルは、物理上り制御チャネルＰＵＣＣＨ、物理上り共有チャネルＰＵＳＣＨ、及び物理ランダムアクセスチャネルＰＲＡＣＨのうちの少なくとも１つを含み、前記上り参照信号は、サウンディング参照信号ＳＲＳを含む、請求項２１〜２５のいずれか１項に記載の上り電力制御パラメータの設定方法。
【請求項２８】
少なくとも１つのパラメータ設定インデックス値又はパラメータ値を含む電力制御項のパラメータセットを少なくとも１つ含む電力制御パラメータセットを端末に送信する第１の送信モジュールと、
前記端末によって目標送信電力で送信された上りチャネル又は上り参照信号を受信する第３の受信モジュールと、を含み、前記目標送信電力は、前記端末によって前記電力制御パラメータセット中の第１の電力制御項の目標パラメータ設定インデックス値又は目標パラメータ値に基づいて決定される、ネットワーク装置。
【請求項２９】
第１の電力制御項のパラメータ設定インデックス値又はパラメータ値を指示する目標指示フィールドが搬送されている下り制御情報ＤＣＩを前記端末に送信する第２の送信モジュールをさらに含む、請求項２８に記載のネットワーク装置。
【請求項３０】
前記目標指示フィールドは、独立して符号化されるか、又は他の指示フィールドとジョイント符号化される、請求項２９に記載のネットワーク装置。
【請求項３１】
前記目標指示フィールドが独立して符号化されると、ＤＣＩに目標指示フィールドが存在するか否かを指示する指示情報を前記端末に送信する第３の送信モジュールをさらに含む、請求項３０に記載のネットワーク装置。
【請求項３２】
前記電力制御パラメータセット中の複数の電力制御項の間の関連関係を前記端末に送信する第４の送信モジュールをさらに含む、請求項２８に記載のネットワーク装置。
【請求項３３】
前記上りチャネルは、物理上り制御チャネルＰＵＣＣＨ、物理上り共有チャネルＰＵＳＣＨ、及び物理ランダムアクセスチャネルＰＲＡＣＨのうちの少なくとも１つを含み、前記上り参照信号は、サウンディング参照信号ＳＲＳを含む、請求項２８〜３２のいずれか１項に記載のネットワーク装置。
【請求項３４】
プロセッサと、メモリと、前記メモリに記憶されて前記プロセッサ上で実行可能で、前記プロセッサによって実行されると、請求項２１〜２７のいずれか１項に記載の上り電力制御パラメータの設定方法のステップを実現するコンピュータプログラムとを含む、ネットワーク装置。
【請求項３５】
プロセッサによって実行されると、請求項１〜１０、２１〜２７のいずれか１項に記載の上り電力制御パラメータの設定方法のステップを実現するコンピュータプログラムが記憶されているコンピュータ読み取り可能な記憶媒体。
【発明の詳細な説明】
【技術分野】
【０００１】
本願は、２０１８年１月１６日に提出された中国特許出願第２０１８１００４１３８４．Ｘ号の優先権を主張するものであり、その全ての内容は参照により本願に組み込まれるものとする。
本開示は、通信の技術分野に関し、特に上り電力制御パラメータの設定方法、端末及びネットワーク装置に関する。
【背景技術】
【０００２】
第５世代（５ｔｈ  Ｇｅｎｅｒａｔｉｏｎ）移動通信システムは、拡張モバイルブロードバンド、低遅延・高信頼及び大規模機器通信接続サービスをサポートする。異なるサービスのスループット、時間遅延及び信頼性等の性能指標に対する要求を満たすために、高周波数及び低周波数キャリアをサポートし、上りリンクは、より柔軟な電力制御メカニズムをサポートする。
【０００３】
サービングセルｃのキャリアｆに対して、物理上り共有チャネル（Ｐｈｙｓｉｃａｌ  Ｕｐｌｉｎｋ  Ｓｈａｒｅｄ  Ｃｈａｎｎｅｌ、ＰＵＳＣＨ）の電力制御式は、以下のとおりである。
【０００４】
【数１】
2021510977.tif 000003
【０００５】
ＰＰＵＳＣＨ，ｆ，ｃ（ｉ，ｊ，ｑｄ，ｌ）はＰＵＳＣＨの目標送信電力を示し、ＰＣＭＡＸ，ｆ，ｃ（ｉ）は最大送信電力を示し、ＰＯ_ＰＵＳＣＨ，ｆ，ｃ（ｊ）とαｆ，ｃ（ｊ）はそれぞれ開ループ電力制御パラメータ目標受信電力とパスロス補償因子を示し、ｊ値のセットは上位層によって設定され、ＭＲＢ，ｆ，ｃＰＵＳＣＨ（ｉ）は、ＰＵＳＣＨ伝送帯域幅を示し、サブキャリア間隔μに関連し、ＰＬｆ，ｃ（ｑｄ）はパスロス推定値を示し、パスロス計算参照用下りチャネル又は信号ｑｄ値のセットは上位層によって設定され、ΔＴＦ，ｆ，ｃ（ｉ）は変調符号化方式に関連する電力補償量を示し、ｆｆ，ｃ（ｉ，ｌ）は閉ループ電力制御調整量を示し、ｌは異なる閉ループ電力プロセスを示し、ｉは伝送時間間隔を示す。
【０００６】
サービングセルｃのキャリアｆに対して、物理上り制御チャネル（Ｐｈｙｓｉｃａｌ  Ｕｐｌｉｎｋ  Ｃｏｎｔｒｏｌ  Ｃｈａｎｎｅｌ、ＰＵＳＣＨ）の電力制御式は、以下のとおりである。
【０００７】
【数２】
2021510977.tif 000004
【０００８】
ＰＰＵＣＣＨ，ｆ，ｃ（ｉ，ｊ，ｑｄ，ｌ）はＰＵＣＣＨの目標送信電力を示し、ＰＣＭＡＸ，ｆ，ｃ（ｉ）は最大送信電力を示し、ＰＯ_ＰＵＣＣＨ，ｆ，ｃ（ｑμ）は開ループ電力制御パラメータ目標受信電力を示し、ｑμ値のセットは上位層によって設定され、ＰＬｆ，ｃ（ｑｄ）はパスロス推定値を示し、パスロス計算参照用下りチャネル又は信号ｑｄ値のセットは上位層によって設定され、ΔＦ＿ＰＵＣＣＨ（Ｆ）はＰＵＣＣＨフォーマットに関連する電力オフセットを示し、異なるＦは異なるＰＵＣＣＨフォーマットに対応し、ΔＴＦ，ｆ，ｃ（ｉ）は電力補償量を示し、ｇｆ，ｃ（ｉ，ｌ）は閉ループ電力制御調整量を示し、ｌは異なる閉ループ電力プロセスを示し、ｉは伝送時間間隔を示す。
【０００９】
サービングセルｃのキャリアｆに対して、物理ランダムアクセスチャネル（Ｐｈｙｓｉｃａｌ  Ｒａｎｄｏｍ  Ａｃｃｅｓｓ  Ｃｈａｎｎｅｌ、ＰＵＳＣＨ）の電力制御式は、以下のとおりである。
【００１０】
【数３】
2021510977.tif 000005
【００１１】
ＰＰＲＡＣＨ，ｆ，ｃ（ｉ）はＰＲＡＣＨの目標送信電力を示し、ＰＣＭＡＸ，ｆ，ｃ（ｉ）は最大送信電力を示し、ＰＰＲＡＣＨ，ｔａｒｇｅｔ（ｉ）は上位層によって設定された開ループ電力制御パラメータ目標受信電力を示し、ＰＬｆ，ｃはパスロス推定値を示す。
【００１２】
サービングセルｃのキャリアｆに対して、サウンディング参照信号（Ｓｏｕｎｄｉｎｇ  Ｒｅｆｅｒｅｎｃｅ  Ｓｉｇｎａｌ、ＳＲＳ）の電力制御式は、以下のとおりである。
【００１３】
【数４】
2021510977.tif 000006
【００１４】
ＰＳＲＳ，ｆ，ｃ（ｉ，ｑｓ，ｌ）はＳＲＳの目標送信電力を示し、ＰＣＭＡＸ，ｆ，ｃ（ｉ）は最大送信電力を示し、ＰＯ＿ＳＲＳ，ｆ，ｃ（ｑｓ）とαＳＲＳ，ｆ，ｃ（ｑｓ）はそれぞれ開ループ電力制御パラメータ目標受信電力とパスロス補償因子を示し、ｑｓ値のセットは上位層によって設定され、ＭＳＲＳ，ｆ，ｃ（ｉ）は、ＲＳ伝送帯域幅を示し、サブキャリア間隔μに関連し、ＰＬｆ，ｃ（ｑｓ）はパスロス推定値を示し、ｈｆ，ｃ（ｉ，ｌ）は閉ループ電力制御調整量を示し、ｌは異なる閉ループ電力プロセスを示し、ｉは伝送時間間隔を示す。
【発明の概要】
【発明が解決しようとする課題】
【００１５】
関連技術では、ＰＵＳＣＨ、ＰＵＣＣＨ、ＰＲＡＣＨ及びＳＲＳ電力制御式に係る開ループ電力制御パラメータ値のセットは、上位層シグナリングによって設定されるが、端末は、開ループ電力制御パラメータの具体的な値を決定できないため、上り電力制御が不正確になり、シグナリングオーバーヘッドが増加することを引き起こし、さらにＵＥ消費電力の増加を引き起こす可能性がある。
【課題を解決するための手段】
【００１６】
第１の態様において、本開示の実施例は、端末側に適用される上り電力制御パラメータの設定方法であって、
ネットワーク装置から送信された、少なくとも１つのパラメータ設定インデックス値又はパラメータ値を含む電力制御項のパラメータセットを少なくとも１つ含む電力制御パラメータセットを受信するステップと、
電力制御パラメータセットの電力制御項のパラメータセットから、第１の電力制御項に対して目標パラメータ設定インデックス値又は目標パラメータ値を選択するステップと、
目標パラメータ設定インデックス値又は目標パラメータ値に基づいて、上りチャネル又は上り参照信号の目標送信電力を決定するステップと、を含む上り電力制御パラメータの設定方法を提供する。
【００１７】
第２の態様において、本開示の実施例は、
ネットワーク装置から送信された、少なくとも１つのパラメータ設定インデックス値又はパラメータ値を含む電力制御項のパラメータセットを少なくとも１つ含む電力制御パラメータセットを受信する第１の受信モジュールと、
電力制御パラメータセットの電力制御項のパラメータセットから、第１の電力制御項に対して目標パラメータ設定インデックス値又は目標パラメータ値を選択する第１の決定モジュールと、
目標パラメータ設定インデックス値又は目標パラメータ値に基づいて、上りチャネル又は上り参照信号の目標送信電力を決定する第２の決定モジュールとを含む、端末をさらに提供する。
【００１８】
第３の態様において、本開示の実施例は、プロセッサと、メモリと、メモリに記憶されてプロセッサ上で実行可能で、プロセッサによって実行されると、上記上り電力制御パラメータの設定方法のステップを実現するコンピュータプログラムとを含む、端末を提供する。
【００１９】
第４の態様において、本開示の実施例は、ネットワーク装置側に適用される上り電力制御パラメータの設定方法であって、
少なくとも１つのパラメータ設定インデックス値又はパラメータ値を含む電力制御項のパラメータセットを少なくとも１つ含む電力制御パラメータセットを端末に送信するステップと、
端末によって目標送信電力で送信された上りチャネル又は上り参照信号を受信するステップと、を含み、目標送信電力が、端末によって電力制御パラメータセット中の電力制御項の目標パラメータ設定インデックス値又は目標パラメータ値に基づいて決定される、ネットワーク装置を提供する。
【００２０】
第５の態様において、本開示の実施例は、
少なくとも１つのパラメータ設定インデックス値又はパラメータ値を含む電力制御項のパラメータセットを少なくとも１つ含む電力制御パラメータセットを端末に送信する第１の送信モジュールと、
端末によって目標送信電力で送信された上りチャネル又は上り参照信号を受信する第３の受信モジュールと、を含み、目標送信電力が、端末によって電力制御パラメータセット中の電力制御項の目標パラメータ設定インデックス値又は目標パラメータ値に基づいて決定される、ネットワーク装置を提供する。
【００２１】
第６の態様において、本開示の実施例は、プロセッサと、メモリと、メモリに記憶されてプロセッサ上で実行可能で、プロセッサによって実行されると、上記上り電力制御パラメータの設定方法のステップを実現するコンピュータプログラムとを含む、ネットワーク装置をさらに提供する。
【００２２】
第７の態様において、本開示の実施例は、プロセッサによって実行されると、上記上り電力制御パラメータの設定方法のステップを実現するコンピュータプログラムが記憶されているコンピュータ読み取り可能な記憶媒体を提供する。
【００２３】
本開示の実施例の技術手段をより明確に説明するために、以下、本開示の実施例の説明に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【図面の簡単な説明】
【００２４】
【図１】本開示の実施例の端末側の上り電力制御パラメータの設定方法の流れを示す概略図である。
【図２】本開示の実施例の端末のモジュール構成を示す概略図である。
【図３】本開示の実施例の端末を示すブロック図である。
【図４】本開示の実施例のネットワーク装置側の上り電力制御パラメータの設定方法の流れを示す概略図である。
【図５】本開示の実施例のネットワーク装置のモジュール構成を示す概略図である。
【図６】本開示の実施例のネットワーク装置を示すブロック図である。
【発明を実施するための形態】
【００２５】
以下、図面を参照しながら本開示の例示的な実施例をより詳細に説明する。図面には本開示の例示的な実施例が示されるが、本開示は様々な形態で実現することができ、ここに記載した実施例によって限定されないと理解すべきである。逆に、これらの実施例を提供するのは、本開示をさらに徹底的に理解し、本開示の範囲を完全に当業者に伝えるようにするためである。
【００２６】
本願の明細書及び特許請求の範囲における用語「第１」、「第２」などは、類似した対象を区別するためのものであり、必ずしも特定の順序又は優先順位を説明するためのものではない。ここで説明した本願の実施例が、例えばここでの図示説明又は説明以外の順序でも実施できるように、このように使用されたデータは、適宜入れ替えてもよいと理解すべきである。また、用語「含む」、「備える」及びそれらのいかなる変形は、非排他的な包含をカバーすることを意図し、例えば、一連のステップ又はユニットを含むプロセス、方法、システム、製品又は装置は、明確に示されたステップ又はユニットに限定されず、明確に示されていないか又はこれらのプロセス、方法、システム、製品又は装置に固有の、他のステップ又はユニットを含んでもよい。
【００２７】
本開示の実施例は、端末側に適用される上り電力制御パラメータの設定方法を提供し、図１に示すように、該方法は以下のステップ１１〜１３を含む。
【００２８】
ステップ１１では、ネットワーク装置から送信された、電力制御項の少なくとも１つのパラメータ設定インデックス値又はパラメータ値を含む電力制御項のパラメータセットを少なくとも１つ含む電力制御パラメータセットを受信する。
【００２９】
つまり、電力制御パラメータセットは、異なる電力制御項のパラメータセットを含み、同一の電力制御項パラメータセットは、該電力制御項の全部又は一部のパラメータ設定インデックス値又はパラメータ値を含む。好ましくは、端末は、上位層シグナリングによりネットワーク装置から送信された電力制御パラメータセットを受信することができる。
【００３０】
一実施例では、電力制御項は、目標受信電力、パスロス補償因子、パスロス計算参照用下りチャネル又は参照信号のリソース識別子、及び閉ループ電力制御のプロセス識別子等を含む。なお、異なるシーンにおいて、電力制御パラメータセット中の関連付けられた電力制御項の種類は異なり、電力制御パラメータセットに含まれる電力制御項のパラメータセットも異なる。
【００３１】
ステップ１２では、電力制御パラメータセットの電力制御項のパラメータセットから、第１の電力制御項に対して目標パラメータ設定インデックス値又は目標パラメータ値を選択する。
【００３２】
なお、ここでの第１の電力制御項は、電力制御パラメータセット中の電力制御項の１項又は複数項であってよい。当業者が理解できるように、ここで、第１の電力制御項が１項の電力制御項であることのみを例として説明し、当業者は複数の電力制御項又は全部の電力制御項に対して、目標パラメータ設定インデックス値又は目標パラメータ値を選択することができる。ここで、第１の電力制御項は例示的なものに過ぎず、本開示を限定するものではない。
【００３３】
電力制御パラメータセットが目標受信電力、パスロス補償因子、パスロス計算参照用下りチャネル又は参照信号のリソース識別子、及び閉ループ電力制御のプロセス識別子等の電力制御項のパラメータセットを含むとすれば、端末は、それから目標受信電力の目標パラメータ設定インデックス値又は目標パラメータ値、パスロス補償因子の目標パラメータ設定インデックス値又は目標パラメータ値、パスロス計算参照用下りチャネル又は参照信号のリソース識別子の目標パラメータ設定インデックス値又は目標パラメータ値、及び閉ループ電力制御のプロセス識別の目標パラメータ設定インデックス値又は目標パラメータ値を決定する。
【００３４】
ステップ１３では、目標パラメータ設定インデックス値又は目標パラメータ値に基づいて、上りチャネル又は上り参照信号の目標送信電力を決定する。
【００３５】
ステップ１２で決定された電力制御項の目標パラメータ設定インデックス値又は目標パラメータ値を、上りチャネル又は上り参照信号の目標送信電力の計算式に代入すれば、上りチャネル又は上り参照信号の目標送信電力を決定することができる。一実施例では、上りチャネルは、物理上り制御チャネルＰＵＣＣＨ、物理上り共有チャネルＰＵＳＣＨ、及び物理ランダムアクセスチャネルＰＲＡＣＨのうちの少なくとも１つを含み、前記上り参照信号は、サウンディング参照信号ＳＲＳを含む。
【００３６】
ＰＵＳＣＨを例とすると、上記電力制御パラメータセット中の関連付けられた電力制御項は、目標受信電力、パスロス補償因子、パスロス計算参照用下りチャネル又は参照信号のリソース識別子、及び閉ループ電力制御のプロセス識別子を含む。上位層シグナリングによって設定された電力制御パラメータセットの設定を以下に示す。
【００３７】
目標受信電力とパスロス補償因子セット、例えば、Ｐ０とαパラメータセット｛
｛Ｐ０とαパラメータ設定インデックス値０，｛Ｐ０＿０，α＿０｝｝，
｛Ｐ０とαパラメータ設定インデックス値１，｛Ｐ０＿１，α＿１｝｝，
…｝
パスロス計算参照用下りチャネル又は参照信号のリソース識別子パラメータセット｛
｛パスロス計算参照用下りチャネル又は参照信号のリソース識別子０，チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ，ＣＳＩ−ＲＳ）識別子０｝，
｛パスロス計算参照用下りチャネル又は参照信号のリソース識別子１，ＣＳＩ−ＲＳ識別子１｝，
｛パスロス計算参照用下りチャネル又は参照信号のリソース識別子２，同期信号ブロック（Ｓｙｎｃｈｒｏｎｏｕｓ  Ｓｉｇｎａｌ  Ｂｌｏｃｋ，ＳＳＢ）識別子０｝，
｛パスロス計算参照用下りチャネル又は参照信号のリソース識別子３，ＳＳＢ識別子１｝，
…｝
閉ループ電力制御プロセスパラメータセット｛
｛閉ループ電力制御プロセス０，０｝，
｛閉ループ電力制御プロセス１，１｝，
…｝
【００３８】
ＰＵＣＣＨを例とすると、上記電力制御パラメータセット中の関連付けられた電力制御項は、目標受信電力、パスロス計算参照用下りチャネル又は参照信号のリソース識別子、及び閉ループ電力制御のプロセス識別子を含む。
【００３９】
ＰＲＡＣＨを例とすると、上記電力制御パラメータセット中の関連付けられた電力制御項は、パスロス計算参照用下りチャネル又は参照信号のリソース識別子を含む。
【００４０】
ＳＲＳを例とすると、上記電力制御パラメータセット中の関連付けられた電力制御項は、目標受信電力、パスロス補償因子、パスロス計算参照用下りチャネル又は参照信号のリソース識別子、及び閉ループ電力制御のプロセス識別子を含む。
【００４１】
以下、本実施例は、具体的な実現方式を参照しながらステップ１２を説明し、以下に列挙する異なる方式は、独立して目標パラメータ設定インデックス値又は目標パラメータ値の決定を実現してもよく、組み合わせて目標パラメータ設定インデックス値又は目標パラメータ値の決定を実現してもよい。
【００４２】
方式１：下り制御情報ＤＣＩに基づいて、第１の電力制御項に対して目標パラメータ設定インデックス値又は目標パラメータ値を選択する。
【００４３】
ＤＣＩには、ＳＲＳの電力制御情報を指示できる下り許可情報と、ＰＵＳＣＨ、ＰＵＣＣＨ、ＰＲＡＣＨ及びＳＲＳのうちの少なくとも１項の電力制御情報を指示できる上り許可情報との少なくとも１項が搬送される。
【００４４】
一実施例では、該方式は、以下のステップを参照して実現することできる。ＤＣＩに目標指示フィールドが存在するか否かを検出し、目標指示フィールドを検出すれば、目標指示フィールドに基づいて、第１の電力制御項に対して目標パラメータ設定インデックス値又は目標パラメータ値を選択する。目標指示フィールドは、第１の電力制御項のパラメータ設定インデックス値又はパラメータ値を指示し、第１の電力制御項は電力制御パラメータセット中の電力制御項の少なくとも１項である。
【００４５】
目標指示フィールドは、独立して符号化されるか、又は他の指示フィールドとジョイント符号化される。
【００４６】
独立して符号化することを例とすると、ＤＣＩにおいて目標指示フィールド（又は電力制御パラメータ設定インデックス値フィールドという）を指定して目標電力制御項のパラメータ設定インデックス値又はパラメータ値の指示に専用し、本実施例は、目標電力制御項のパラメータ設定インデックス値のみを例として説明する。表１に示すとおりである。
【００４７】
【表１】
2021510977.tif 000007
【００４８】
目標指示フィールド中の異なる値は、異なる目標電力制御項のパラメータ設定インデックス値を指示し、目標電力制御項は、目標受信電力、パスロス補償因子、パスロス計算参照用下りチャネル又は参照信号のリソース識別子、及び閉ループ電力制御のプロセス識別子のうちの１項又は複数項であってよい。
【００４９】
目標指示フィールドが独立して符号化されると、ＤＣＩ中の目標指示フィールドを検出するステップの前に、ネットワーク装置から送信された、ＤＣＩに目標指示フィールドが存在するか否かを指示する指示情報を受信するステップと、前記指示情報を検出し、かつ指示情報が目標指示フィールドが存在することを指示すれば、ＤＣＩに目標指示フィールドが存在するか否かを検出するステップを実行するステップと、指示情報の指示を検出しなければ、方式２又は方式３で電力制御パラメータセット中の電力制御項の目標パラメータ設定インデックス値又は目標パラメータ値を決定するステップとをさらに含む。具体的には、ここでいう指示情報を検出しないこととは、指示情報そのものが存在しないこと、或いは指示情報に目標指示フィールドが存在しないことを指示すると検出したときに、第１の電力制御項のデフォルトパラメータ設定インデックス値又はデフォルトパラメータ値を、該第１の電力制御項の目標パラメータ設定インデックス値又は目標パラメータ値として決定するステップ、又は、決定されたパラメータ設定インデックス値又はパラメータ値の第２の電力制御項に基づいて、第１の電力制御項の目標パラメータ設定インデックス値又は目標パラメータ値を決定するステップを実行することを指す。ここで、第２の電力制御項は第１の電力制御項に関連する。好ましい実施例では、端末は、上位層シグナリングにより、目標指示フィールド（又は、電力制御パラメータ設定インデックス値という）が存在するか否かを指示する指示情報を受信してよく、指示情報が０であると、存在しないことを示し、１であると、存在することを示す。
【００５０】
ジョイント符号化することを例とすると、ＤＣＩにおいて目標電力制御項のパラメータ設定インデックス値又はパラメータ値の指示に専用する指示フィールドが指定されておらず、定義された他の指示フィールドを多重化して目標電力制御項のパラメータ設定インデックス値又はパラメータ値を指示する。本実施例は、ＳＲＳ要求フィールド（目標指示フィールド）の多重化を例として説明する。表２に示すとおりである、
【００５１】
【表２】
2021510977.tif 000008
【００５２】
ＳＲＳ要求フィールド中の異なる値は、異なるＳＲＳ要求リソース以外に、さらに異なる目標電力制御項のパラメータ設定インデックス値を指示することができる。
【００５３】
さらに、ネットワーク伝送環境又は端末ＤＣＩ検出失敗等のシーンを考慮し、端末ＤＣＩ検出失敗を例とすると、ＤＣＩに目標指示フィールドが存在するか否かを検出し、目標指示フィールドを検出しなければ、方式２又は方式３で電力制御パラメータセット中の電力制御項の目標パラメータ設定インデックス値又は目標パラメータ値を決定する。具体的には、目標指示フィールドを検出しないことは、目標指示フィールドが存在せず、或いは目標指示フィールドの検出が失敗すれば、第１の電力制御項のデフォルトパラメータ設定インデックス値又はデフォルトパラメータ値を、該第１の電力制御項の目標パラメータ設定インデックス値又は目標パラメータ値として決定するステップ、又は、決定されたパラメータ設定インデックス値又はパラメータ値の第２の電力制御項に基づいて、第１の電力制御項の目標パラメータ設定インデックス値又は目標パラメータ値を決定するステップを実行することを指す。
【００５４】
方式２：第１の電力制御項のデフォルトパラメータ設定インデックス値又はデフォルトパラメータ値を、該第１の電力制御項の目標パラメータ設定インデックス値又は目標パラメータ値として決定する。
【００５５】
該方式は、予め設定された方式であり、つまり、プロトコル又はネットワーク装置は、異なるサービスにおける電力制御項のデフォルトパラメータ設定インデックス値又はデフォルトパラメータ値を事前に設定し、ネットワーク装置が上位層シグナリングにより電力制御パラメータセットを設定するが、端末は、該電力制御パラメータセットから、異なる電力制御項のそれぞれに対応するデフォルトパラメータ設定インデックス値又はデフォルトパラメータ値を選択して、対応する電力制御項の目標パラメータ設定インデックス値又は目標パラメータ値として決定することができる。各電力制御項のデフォルトパラメータ設定インデックス値が０であるとする。
【００５６】
方式３：決定されたパラメータ設定インデックス値又はパラメータ値の第２の電力制御項に基づいて、第１の電力制御項の目標パラメータ設定インデックス値又は目標パラメータ値を決定する。
【００５７】
端末は、決定されたパラメータ設定インデックス値又はパラメータ値の第２の電力制御項に基づいて、第２の電力制御項の目標パラメータ設定インデックス値又は目標パラメータ値を決定するステップの前に、電力制御パラメータセット中の複数の電力制御項の間の関連関係を取得するステップをさらに含む。複数の電力制御項の間の関連関係を取得する方式は、プロトコルが複数の電力制御項の間の関連関係を予め定義することと、ネットワーク装置が端末に複数の電力制御項の間の関連関係を設定することとを含むが、これらに限定されない。ネットワーク装置による設定方式では、端末は、ネットワーク装置のブロードキャスト情報により複数の電力制御項の間の関連関係を取得してもよく、上位層シグナリングにより各電力制御項の間の関連関係等を受信してもよい。
【００５８】
複数の電力制御項の間の関連関係は、一対一、一対多数又は多数対一の関係を含む。一対一の関係を例とすると、ビームに基づく電力制御の場合、｛Ｐ０とαパラメータ設定インデックス値０，パスロス計算参照用下りチャネル又は参照信号のリソース識別子０，閉ループ電力制御プロセス０｝である。一対多数の関係を例とすると、ビームグループに基づく電力制御の場合、｛Ｐ０とαパラメータ設定インデックス値０，パスロス計算参照用下りチャネル又は参照信号のリソース識別子０，パスロス計算参照用下りチャネル又は参照信号のリソース識別子１｝である。多数対一の関係を例とすると、ビームグループ、キャリアに基づく電力制御の場合、｛パスロス計算参照用下りチャネル又は参照信号のリソース識別子０，パスロス計算参照用下りチャネル又は参照信号のリソース識別子１，閉ループ電力制御プロセス０｝である。
【００５９】
該方式は、暗黙的決定方式であり、つまり、一部の電力制御項の目標パラメータ設定インデックス値又は目標パラメータ値を決定した後、複数の電力制御項の間の関連関係に基づいて他の電力制御項の目標パラメータ設定インデックス値又は目標パラメータ値を決定することができる。パスロス計算参照用下りチャネル又は参照信号のリソース識別子が０であると決定すると、Ｐ０とαパラメータ設定インデックス値が０であり、閉ループ電力制御プロセスが０であると決定することができる。
【００６０】
以上、３種類の方式で電力制御項の目標パラメータ設定インデックス値又は目標パラメータ値を独立して決定するシーンを紹介し、以下、異なる方式を組み合わせて決定するシーンをさらに紹介する。
【００６１】
一実施例では、初期設定で方式２を使用し、かつ方式１におけるＤＣＩによって指示された一部の電力制御項のパラメータ、例えば、パスロス計算参照用下りチャネル又は参照信号のリソース識別子により、さらに方式３でＰ０とαを暗黙的に得る。別の実施例では、方式１を優先的に使用し、方式１で全部の電力制御項の目標パラメータ設定インデックス値又は目標パラメータ値を決定できないと、方式２又は方式３を使用して決定する。
【００６２】
具体的には、方式１で電力制御パラメータセット中の一部の電力制御項の目標パラメータ設定インデックス値又は目標パラメータ値のみを決定すれば、方式３を組み合わせて他の電力制御項の目標パラメータ設定インデックス値又は目標パラメータ値を決定し、つまり、決定された一部の電力制御項と他の電力制御項の間の関連関係に基づいて、他の電力制御項の目標パラメータ設定インデックス値又は目標パラメータ値を決定することができる。具体的には、目標指示フィールドに基づいて第１の電力制御項に対して目標パラメータ設定インデックス値又は目標パラメータ値を選択するステップの後に、第１の電力制御項に基づいて、該第１の電力制御項に関連する他の電力制御項の目標パラメータ設定インデックス値又は目標パラメータ値を決定するステップをさらに含む。  
【００６３】
ＰＵＳＣＨ電力制御過程において、パスロス計算参照用参照チャネルのリソース識別子（又は、ＰＬ参照ＲＳ識別子という）は、ＳＲＳ要求フィールドとジョイント符号化され、即ち、ＰＬ参照ＲＳ識別子はＳＲＳ要求フィールドにより暗黙的に指示され、表３に示すように、上位層シグナリングは、ＰＬ参照ＲＳ識別子と目標受信電力Ｐ０及びパスロス補償因子αとのマッピング関係を予め設定し、表４に示すとおりである。
【００６４】
【表３】
2021510977.tif 000009
【００６５】
【表４】
2021510977.tif 000010
【００６６】
ＰＵＳＣＨ電力制御過程において、目標受信電力Ｐ０とパスロス補償因子αは、ＤＣＩ中の電力制御パラメータ設定インデックス値フィールド（本実施例では、Ｐ０とαパラメータフィールドを例とする）によって明示的に指示され、表５に示すように、パスロス計算参照用参照チャネルのリソース識別子（又は、ＰＬ参照ＲＳ識別子という）は、ＳＲＳ要求フィールドによって暗黙的に指示され、表６に示すとおりである。上位層シグナリングは、ＰＬ参照ＲＳ識別子と目標受信電力Ｐ０及びパスロス補償因子αとのマッピング関係を予め設定し、表７に示すとおりである。
【００６７】
【表５】
2021510977.tif 000011
【００６８】
【表６】
2021510977.tif 000012
【００６９】
【表７】
2021510977.tif 000013
【００７０】
本開示の実施例の上り電力制御パラメータの設定方法では、端末は、ネットワーク装置から送信された電力制御パラメータセットを受信するときに、電力制御パラメータセットから異なる電力制御項の目標パラメータ設定インデックス値又は目標パラメータ値を選択することにより、上りチャネル又は上り参照信号の目標送信電力を決定し、電力制御の正確性を向上させ、端末の消費電力を低減する。
【００７１】
以上の実施例により、異なるシーンでの上り電力制御パラメータの設定方法を紹介し、以下、図面を参照しながら対応する端末をさらに紹介する。
【００７２】
図２に示すように、本開示の実施例の端末２００は、上記実施例における、ネットワーク装置から送信された電力制御パラメータセットを受信するステップと、電力制御パラメータセットの電力制御項のパラメータセットから、第１の電力制御項に対して目標パラメータ設定インデックス値又は目標パラメータ値を選択するステップと、目標パラメータ設定インデックス値又は目標パラメータ値に基づいて、上りチャネル又は上り参照信号の目標送信電力を決定するステップとを含む方法の詳細を実現すると共に、同じ効果を達成することができ、該端末２００は、具体的には、
ネットワーク装置から送信された、電力制御項の少なくとも１つのパラメータ設定インデックス値又はパラメータ値を含む電力制御項のパラメータセットを少なくとも１つ含む電力制御パラメータセットを受信する第１の受信モジュール２１０と、
電力制御パラメータセットの電力制御項のパラメータセットから、第１の電力制御項に対して目標パラメータ設定インデックス値又は目標パラメータ値を選択する第１の決定モジュール２２０と、
目標パラメータ設定インデックス値又は目標パラメータ値に基づいて、上りチャネル又は上り参照信号の目標送信電力を決定する第２の決定モジュール２３０とを含む。
【００７３】
第１の決定モジュール２２０は、
下り制御情報ＤＣＩに基づいて、第１の電力制御項に対して目標パラメータ設定インデックス値又は目標パラメータ値を選択する第１の決定サブモジュールと、
第１の電力制御項のデフォルトパラメータ設定インデックス値又はデフォルトパラメータ値を、該第１の電力制御項の目標パラメータ設定インデックス値又は目標パラメータ値として決定する第２の決定サブモジュールと、
決定されたパラメータ設定インデックス値又はパラメータ値の第２の電力制御項に基づいて、第１の電力制御項の目標パラメータ設定インデックス値又は目標パラメータ値を決定する第３の決定サブモジュールとのうちの少なくとも１つを含み、第２の電力制御項は、第１の電力制御項に関連する。
【００７４】
第１の決定サブモジュールは、
ＤＣＩに第１の電力制御項のパラメータ設定インデックス値又はパラメータ値を指示する目標指示フィールドが存在するか否かを検出する検出ユニットと、
目標指示フィールドを検出すれば、目標指示フィールドに基づいて、電力制御項に対して目標パラメータ設定インデックス値又は目標パラメータ値を選択する第１の決定ユニットとを含む。
【００７５】
第１の決定サブモジュールは、
第１の電力制御項に基づいて、第１の電力制御項に関連する他の電力制御項の目標パラメータ設定インデックス値又は目標パラメータ値を決定する第２の決定ユニットをさらに含む。
【００７６】
第１の決定サブモジュールは、
目標指示フィールドを検出しなければ、第１の電力制御項のデフォルトパラメータ設定インデックス値又はデフォルトパラメータ値を、目標パラメータ設定インデックス値又は目標パラメータ値として決定し、或いは、決定されたパラメータ設定インデックス値又はパラメータ値の第２の電力制御項に基づいて、第１の電力制御項の目標パラメータ設定インデックス値又は目標パラメータ値を決定する第３の決定ユニットをさらに含む。
【００７７】
目標指示フィールドは、独立して符号化されるか、又は他の指示フィールドとジョイント符号化される。
【００７８】
端末２００は、
目標指示フィールドが独立して符号化されると、ネットワーク装置から送信された、ＤＣＩに目標指示フィールドが存在するか否かを指示する指示情報を受信する第２の受信モジュールと、
前記指示情報を検出し、かつ指示情報が目標指示フィールドが存在することを指示すれば、ＤＣＩに目標指示フィールドが存在するか否かを検出するステップを実行する第１の処理モジュールと、
指示情報を検出しなければ、第１の電力制御項のデフォルトパラメータ設定インデックス値又はデフォルトパラメータ値を、該第１の電力制御項の目標パラメータ設定インデックス値又は目標パラメータ値として決定し、或いは、決定されたパラメータ設定インデックス値又はパラメータ値の第２の電力制御項に基づいて、第１の電力制御項の目標パラメータ設定インデックス値又は目標パラメータ値を決定する第２の処理モジュールとをさらに含む。
【００７９】
端末２００は、
電力制御パラメータセットの複数の電力制御項の間の関連関係を取得する第１の取得モジュールをさらに含む。
【００８０】
電力制御項は、目標受信電力、パスロス補償因子、パスロス計算参照用下りチャネル又は参照信号のリソース識別子、及び閉ループ電力制御のプロセス識別子のうちの少なくとも１項を含む。
【００８１】
上りチャネルは、物理上り制御チャネルＰＵＣＣＨ、物理上り共有チャネルＰＵＳＣＨ、及び物理ランダムアクセスチャネルＰＲＡＣＨのうちの少なくとも１つを含み、上り参照信号は、サウンディング参照信号ＳＲＳを含む。
【００８２】
なお、本開示の実施例の端末は、ネットワーク装置から送信された電力制御パラメータセットを受信するときに、電力制御パラメータセットから異なる電力制御項の目標パラメータ設定インデックス値又は目標パラメータ値を選択することにより、上りチャネル又は上り参照信号の目標送信電力を決定し、電力制御の正確性を向上させ、端末の消費電力を低減する。
【００８３】
上記目的をよりよく達成するために、さらに、図３は、本開示の各実施例を実現する端末のハードウェア構成概略図であり、該端末３０は、無線周波数ユニット３１、ネットワークモジュール３２、オーディオ出力ユニット３３、入力ユニット３４、センサ３５、表示ユニット３６、ユーザ入力ユニット３７、インタフェースユニット３８、メモリ３９、プロセッサ３１０及び電源３１１等の部品を含むが、これらに限定されない。当業者が理解できるように、図３に示す端末構成は、端末を限定するものではなく、端末は、図示より多いか又は少ない部品を含んでよく、ある部品を組み合わせたり、異なる部品を配置したりしてもよい。本開示の実施例では、端末は、携帯電話、タブレット、ノートパソコン、ハンドトップ、車載端末、ウェアラブルデバイス及び歩数計等を含むが、これらに限定されない。
【００８４】
無線周波数ユニット３１は、ネットワーク装置から送信された、電力制御項の少なくとも１つのパラメータ設定インデックス値又はパラメータ値を含む電力制御項のパラメータセットを少なくとも１つ含む電力制御パラメータセットを受信する。
【００８５】
プロセッサ３１０は、電力制御パラメータセットの電力制御項のパラメータセットから、第１の電力制御項に対して目標パラメータ設定インデックス値又は目標パラメータ値を選択し、目標パラメータ設定インデックス値又は目標パラメータ値に基づいて、上りチャネル又は上り参照信号の目標送信電力を決定する。
【００８６】
本開示の実施例の端末は、ネットワーク装置から送信された電力制御パラメータセットを受信するときに、電力制御パラメータセットから異なる電力制御項の目標パラメータ設定インデックス値又は目標パラメータ値を選択することにより、上りチャネル又は上り参照信号の目標送信電力を決定し、電力制御の正確性を向上させ、端末の消費電力を低減する。
【００８７】
本開示の実施例では、無線周波数ユニット３１が情報の送受信、又は通話中の信号の送受信に用いられてよく、具体的には、基地局からの下りデータを受信した後、プロセッサ３１０に処理させ、また、上りデータを基地局に送信することを理解されたい。一般に、無線周波数ユニット３１は、アンテナ、少なくとも１つの増幅器、送受信機、結合器、低雑音増幅器、デュプレクサ等を含むが、これらに限定されない。また、無線周波数ユニット３１は、さらに無線通信システムによりネットワーク及び他の装置と通信してよい。
【００８８】
端末は、ネットワークモジュール３２によりユーザに無線のブロードバンドインターネットアクセスを提供して、ユーザの電子メールの送受信、ウェブの閲覧及びストリーミングメディアのアクセス等を助ける。
【００８９】
オーディオ出力ユニット３３は、無線周波数ユニット３１又はネットワークモジュール３２によって受信されるか又はメモリ３９に記憶されるオーディオデータをオーディオ信号に変換して音声として出力することができる。そして、オーディオ出力ユニット３３は、さらに端末３０によって実行される特定の機能に関連するオーディオ出力（例えば、呼出音、メッセージ着信音等）を提供することができる。オーディオ出力ユニット３３は、スピーカー、ブザー及びレシーバー等を含む。
【００９０】
入力ユニット３４は、オーディオ又はビデオ信号を受信する。入力ユニット３４は、グラフィック処理ユニット（Ｇｒａｐｈｉｃｓ  Ｐｒｏｃｅｓｓｉｎｇ  Ｕｎｉｔ、ＧＰＵ）３４１及びマイクロフォン３４２を含んでよく、グラフィック処理ユニット３４１は、ビデオ撮影モード又は画像撮影モードで撮影装置（例えば、カメラ）によって取得された静止画像又はビデオの画像データを処理する。処理後の画像フレームを表示ユニット３６に表示させてもよい。グラフィック処理ユニット３４１によって処理された画像フレームは、メモリ３９（又は他の記憶媒体）に記憶されてもよく、無線周波数ユニット３１又はネットワークモジュール３２によって送信されてもよい。マイクロフォン３４２は、音声を受信し、かつこのような音声をオーディオデータに処理することができる。処理後のオーディオデータを、電話通話モードの場合に無線周波数ユニット３１によって移動通信基地局に送信されるフォーマットに変換して出力することができる。
【００９１】
端末３０は、さらに、光センサ、動きセンサ及び他のセンサ等の少なくとも１種のセンサ３５を含んでよい。具体的には、光センサは、環境光線の明るさに応じて表示パネル３６１の輝度を調節することができる環境光センサと、端末３０が耳元に移動するときに、表示パネル３６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢の識別（例えば、縦向きと横向きの切替、ゲーム関連、磁力計の姿勢較正）、振動識別に関連する機能（例えば、歩数計、タッピング）等に用いられてよく、センサ３５は、さらに指紋センサ、圧力センサ、虹彩センサ、分子センサ、ジャイロスコープ、気圧計、湿度計、温度計、赤外線センサ等を含んでよく、ここでは説明を省略する。
【００９２】
表示ユニット３６は、ユーザによって入力された情報又はユーザに提供された情報を表示する。表示ユニット３６は、表示パネル３６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形式で表示パネル３６１を配置してよい。
【００９３】
ユーザ入力ユニット３７は、入力された数字又は文字情報を受信すると共に、端末のユーザ設定及び機能制御に関連するキー信号入力を生成することができる。具体的には、ユーザ入力ユニット３７は、タッチパネル３７１及び他の入力装置３７２を含む。タッチパネル３７１は、タッチスクリーンとも呼ばれ、その上又はその近くでのユーザのタッチ操作（例えば、指、スタイラスペン等の任意の適切な物体又は付属品を用いるタッチパネル３７１上又はタッチパネル３７１の近くでのユーザの操作）を収集することができる。タッチパネル３７１は、タッチ検出装置及びタッチコントローラの２つの部品を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、かつタッチポイント座標に変換し、その後にプロセッサ３１０に送信し、プロセッサ３１０から送信されたコマンドを受信し、実行する。また、抵抗式、容量式、赤外線式及び表面弾性波式等の複数のタイプでタッチパネル３７１を実現することができる。タッチパネル３７１に加えて、入力ユニット３７は、他の入力デバイス３７２をさらに含んでよい。具体的には、他の入力デバイス３７２は、物理キーボード、機能キー（例えば、ボリューム調節キー、スイッチキー等）、トラックボール、マウス、及び操作レバーを含むが、これらに限定されず、ここでは説明を省略する。
【００９４】
さらに、タッチパネル３７１は、表示パネル３６１をカバーしてよく、タッチパネル３７１がその上又はその近くでのタッチ操作を検出した後、プロセッサ３１０に伝送してタッチイベントのタイプを決定し、その後に、プロセッサ３１０は、タッチイベントのタイプに応じて表示パネル３１６に対応する視覚的出力を提供する。図３において、タッチパネル３７１と表示パネル３６１は２つの独立した部品として端末の入力と出力機能を実現するが、いくつかの実施例では、タッチパネル３７１と表示パネル３６１を一体化して端末の入力と出力機能を実現することができ、ここでは限定しない。
【００９５】
インタフェースユニット３８は、外部装置と端末３０を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポート等を含んでよい。インタフェースユニット３８は、外部装置からの入力（例えば、データ情報、電力等）を受信すると共に、受信した入力を端末３０内の１つ又は複数の素子に伝送するか又は端末３０と外部装置の間にデータを伝送する。
【００９６】
メモリ３９は、ソフトウェアプログラム及び様々なデータを記憶することができる。メモリ３９は、主に、オペレーティングシステム、少なくとも１つの機能に必要なアプリケーションプログラム（例えば、音声再生機能、画像再生機能等）等を記憶することができるプログラム記憶領域と、携帯電話の使用に応じて作成されたデータ（例えば、オーディオデータ、電話帳等）等を記憶することができるデータ記憶領域を含んでよい。また、メモリ３９は、高速ランダムアクセスメモリを含んでよく、少なくとも１つの磁気ディスクメモリ素子、フラッシュメモリ素子又は他の揮発性固体メモリ素子等の不揮発性メモリを含んでもよい。
【００９７】
プロセッサ３１０は、端末の制御センターであり、様々なインタフェースと回線により端末全体の各部分に接続され、メモリ３９に記憶されたソフトウェアプログラム及び／又はモジュールを動作させるか又は実行し、メモリ３９に記憶されたデータを呼び出すことにより、端末の様々な機能とデータ処理を実行して、端末全体を監視する。プロセッサ３１０は、１つ又は複数の処理ユニットを含んでよく、好ましくは、プロセッサ３１０は、主にオペレーティングシステム、ユーザインタフェース及びアプリケーションプログラム等を処理するアプリケーションプロセッサと、主に無線通信を処理するモデムプロセッサとを集積することができる。理解できるように、上記モデムプロセッサは、プロセッサ３１０に集積されなくてもよい。
【００９８】
端末３０は、各部品に給電する電源３１１（例えば、電池）を含んでよく、好ましくは、電源３１１は、電源管理システムによりプロセッサ３１０と論理的に接続されて、電源管理システムにより充電、放電の管理及び消費電力の管理等の機能を実現する。
【００９９】
また、端末３０は、いくつかの未図示の機能モジュールを含むが、ここでは説明を省略する。
【０１００】
好ましくは、本開示の実施例は、プロセッサ３１０と、メモリ３９と、メモリ３９に記憶されて前記プロセッサ３１０上で実行可能で、プロセッサ３１０によって実行されると、上記上り電力制御パラメータの設定方法の実施例の各プロセスを実現し、かつ同じ技術的効果を達成することができるコンピュータプログラムとを含む、端末をさらに提供する。重複を避けるために、ここでは説明を省略する。端末は、無線端末であってもよく、有線端末であってもよく、無線端末は、ユーザに音声及び／又は他のサービスデータ接続性を提供する装置、無線接続機能を有するハンドヘルド装置、又は無線モデムに接続される他の処理装置であってもよい。無線端末は、無線アクセスネットワーク（Ｒａｄｉｏ  Ａｃｃｅｓｓ  Ｎｅｔｗｏｒｋ、ＲＡＮ）を介して１つ又は複数のコアネットワークと通信可能であり、無線端末は、携帯電話（又は、「セルラー」電話）等の携帯端末、携帯端末を有するコンピュータ、例えば、携帯式、ポケット、手持ち式、コンピュータ内蔵又は車載の携帯機器であってよく、それらは無線アクセスネットワークと言語及び／又はデータを交換する。例えば、個人通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話機、加入者系無線アクセス網（Ｗｉｒｅｌｅｓｓ  Ｌｏｃａｌ  Ｌｏｏｐ、ＷＬＬ）基地局、パーソナルディジタルアシスタント（Ｐｅｒｓｏｎａｌ  Ｄｉｇｉｔａｌ  Ａｓｓｉｓｔａｎｔ、ＰＤＡ）等の装置であってよい。無線端末は、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動ステーション（Ｍｏｂｉｌｅ  Ｓｔａｔｉｏｎ）、移動局（Ｍｏｂｉｌｅ）、遠隔ステーション（Ｒｅｍｏｔｅ  Ｓｔａｔｉｏｎ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ装置（Ｕｓｅｒ  Ｄｅｖｉｃｅ  ｏｒ  Ｕｓｅｒ  Ｅｑｕｉｐｍｅｎｔ）と呼ばれてよく、ここでは限定されない。
【０１０１】
本開示の実施例は、プロセッサによって実行されると、上記上り電力制御パラメータの設定方法の実施例の各プロセスを実現し、かつ同じ技術的効果を達成することができるコンピュータプログラムが記憶されているコンピュータ読み取り可能な記憶媒体をさらに提供する。重複を避けるために、ここでは説明を省略する。上記コンピュータ読み取り可能な記憶媒体は、読み取り専用メモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、ディスク又は光ディスク等であってよい。
【０１０２】
以上、実施例は、端末側から本開示の上り電力制御パラメータの設定方法を紹介し、以下、本実施例は、図面を参照しながらネットワーク装置側の上り電力制御パラメータの設定方法をさらに紹介する。
【０１０３】
本開示の実施例の上り電力制御パラメータの設定方法は、ネットワーク装置側に適用され、図４に示すように、該方法は以下のステップ４１〜４２を含む。
【０１０４】
ステップ４１では、電力制御項の少なくとも１つのパラメータ設定インデックス値又はパラメータ値を含む電力制御項のパラメータセットを少なくとも１つを含む電力制御パラメータセットを端末に送信する。
【０１０５】
好ましくは、ネットワーク装置は、上位層シグナリングにより該電力制御パラメータセットを送信することができる。
【０１０６】
好ましくは、電力制御項は、目標受信電力、パスロス補償因子、パスロス計算参照用下りチャネル又は参照信号のリソース識別子、及び閉ループ電力制御のプロセス識別子のうちの少なくとも１項を含む。
【０１０７】
ステップ４２では、端末によって目標送信電力で送信された上りチャネル又は上り参照信号を受信する。
【０１０８】
目標送信電力は、端末によって電力制御パラメータセット中の第１の電力制御項の目標パラメータ設定インデックス値又は目標パラメータ値に基づいて決定される。上りチャネルは、物理上り制御チャネルＰＵＣＣＨ、物理上り共有チャネルＰＵＳＣＨ、及び物理ランダムアクセスチャネルＰＲＡＣＨのうちの少なくとも１つを含み、前記上り参照信号は、サウンディング参照信号ＳＲＳを含む。
【０１０９】
好ましくは、ステップ４２の前に、第１の電力制御項のパラメータ設定インデックス値又はパラメータ値を指示する目標指示フィールドが搬送されている下り制御情報ＤＣＩを端末に送信するステップをさらに含んでよい。
【０１１０】
一実施例では、目標指示フィールドは、独立して符号化されて、第１の電力制御項のパラメータ設定インデックス値又はパラメータ値の指示に専用で用いられ、或いは、目標指示フィールドは、他の指示フィールドとジョイント符号化され、即ち、定義された他の指示フィールドを多重化して第１の目標電力制御項のパラメータ設定インデックス値又はパラメータ値を指示する。
【０１１１】
目標指示フィールドが独立して符号化されることを例とすると、ステップ４１の前に、ＤＣＩに目標指示フィールドが存在するか否かを指示する指示情報を端末に送信するステップをさらに含んでよい。好ましくは、ネットワーク装置は、上位層シグナリングにより、目標指示フィールドが存在するか否かを指示する指示情報を端末に送信してよく、指示情報が０であると、存在しないことを示し、１であると、存在することを示す。
【０１１２】
好ましくは、ステップ４２の前に、電力制御パラメータセット中の複数の電力制御項の間の関連関係を端末に送信するステップをさらに含んでよい。複数の電力制御項の間の関連関係は、一対一、一対多数又は多数対一の関係を含む。好ましくは、ネットワーク装置は、上位層シグナリングにより、複数の電力制御項の間の関連関係を端末に送信してよく、ネットワーク装置は、複数の電力制御項の間の関連関係を端末に設定し、端末は一部の電力制御項の目標パラメータ設定インデックス値又は目標パラメータ値を決定した後、複数の電力制御項の間の関連関係に基づいて他の電力制御項の目標パラメータ設定インデックス値又は目標パラメータ値を決定することができる。
【０１１３】
本開示の実施例の上り電力制御パラメータの設定方法では、ネットワーク装置は、電力制御パラメータセットを端末に送信し、端末は、電力制御パラメータセットから異なる電力制御項の目標パラメータ設定インデックス値又は目標パラメータ値を選択することにより、上りチャネル又は上り参照信号の目標送信電力を決定し、電力制御の正確性を向上させ、端末の消費電力を低減する。
【０１１４】
以上の実施例は、それぞれ、異なるシーンでの上り電力制御パラメータの設定方法を詳細に紹介し、以下の本実施例は、図面を参照しながら対応するネットワーク装置をさらに紹介する。
【０１１５】
図５に示すように、本開示の実施例のネットワーク装置５００は、上記実施例における、電力制御パラメータセットを端末に送信するステップと、端末によって目標送信電力で送信された上りチャネル又は上り参照信号を受信するステップとを含む方法の詳細を実現すると共に、同じ効果を達成することができ、該ネットワーク装置５００は、
電力制御項の少なくとも１つのパラメータ設定インデックス値又はパラメータ値を含む電力制御項のパラメータセットを少なくとも１つ含む電力制御パラメータセットを端末に送信する第１の送信モジュール５１０と、
端末によって目標送信電力で送信された上りチャネル又は上り参照信号を受信する第３の受信モジュール５２０と、を含み、目標送信電力は、端末によって電力制御パラメータセット中の第１の電力制御項の目標パラメータ設定インデックス値又は目標パラメータ値に基づいて決定される。
【０１１６】
ネットワーク装置５００は、
第１の電力制御項のパラメータ設定インデックス値又はパラメータ値を指示する目標指示フィールドが搬送されている下り制御情報ＤＣＩを端末に送信する第２の送信モジュールをさらに含む。
【０１１７】
目標指示フィールドは、独立して符号化されるか、又は他の指示フィールドとジョイント符号化される。
【０１１８】
ネットワーク装置５００は、
目標指示フィールドが独立して符号化されると、ＤＣＩに目標指示フィールドが存在するか否かを指示する指示情報を端末に送信する第３の送信モジュールをさらに含む。
【０１１９】
ネットワーク装置５００は、
電力制御パラメータセット中の複数の電力制御項の間の関連関係を端末に送信する第４の送信モジュールをさらに含む。
【０１２０】
電力制御項は、目標受信電力、パスロス補償因子、パスロス計算参照用下りチャネル又は参照信号のリソース識別子、及び閉ループ電力制御のプロセス識別子のうちの少なくとも１項を含む。
【０１２１】
上りチャネルは、物理上り制御チャネルＰＵＣＣＨ、物理上り共有チャネルＰＵＳＣＨ、及び物理ランダムアクセスチャネルＰＲＡＣＨのうちの少なくとも１つを含み、上り参照信号は、サウンディング参照信号ＳＲＳを含む。
【０１２２】
なお、本開示の実施例のネットワーク装置は、電力制御パラメータセットを端末に送信し、端末は、電力制御パラメータセットから異なる電力制御項の目標パラメータ設定インデックス値又は目標パラメータ値を選択することにより、上りチャネル又は上り参照信号の目標送信電力を決定し、電力制御の正確性を向上させ、端末の消費電力を低減する。
【０１２３】
なお、以上のネットワーク装置と端末の各モジュールの区分は、論理機能の区分に過ぎず、実際に実現する時に全部又は一部を１つの物理的実体に集積してもよく、物理的に分離してもよい。これらのモジュールは、すべてソフトウェアが処理素子によって呼び出される形式で実現されてもよく、すべてハードウェアの形式で実現されてもよく、さらに、一部のモジュールは、処理素子がソフトウェアを呼び出す形式で実現され、一部のモジュールはハードウェアの形式で実現されてもよい。例えば、決定モジュールは、別個に設置された処理素子であってもよく、上記装置のあるチップに集積されて実現されてもよく、また、プログラムコードの形式で上記装置のメモリに記憶され、上記装置のある処理素子によって呼び出され、かつ以上の決定モジュールの機能を実行してもよい。他のモジュールの実現はそれに類似する。また、これらのモジュールは、全部又は一部が集積されてもよく、別個に実現されてもよい。ここでの処理素子は、信号の処理能力を有する集積回路であってよい。実現過程において、上記方法の各ステップ又は以上の各モジュールは、処理素子中のハードウェアの集積論理回路又はソフトウェア形式の指令により達成することができる。
【０１２４】
例えば、以上のこれらのモジュールは、以上の方法を実施する、１つ又は複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、又は１つ又は複数のマイクロプロセッサ、又は１つ又は複数のデジタル信号プロセッサ（ｄｉｇｉｔａｌ  ｓｉｇｎａｌ  ｐｒｏｃｅｓｓｏｒ、ＤＳＰ）、又は１つ又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）等の１つ又は複数の集積回路として構成されてよい。
また、以上のいずれかのモジュールは処理素子がプログラムコードを呼び出す形式で実現されると、該処理素子は、中央処理装置（Ｃｅｎｔｒａｌ  Ｐｒｏｃｅｓｓｉｎｇ  Ｕｎｉｔ、ＣＰＵ）又はプログラムコードを呼び出し可能な他のプロセッサ等の汎用プロセッサであってよい。また、これらのモジュールは集積されて、システムオンチップ（ｓｙｓｔｅｍ−ｏｎ−ａ−ｃｈｉｐ、ＳＯＣ）の形式で実現されてよい。
【０１２５】
上記目的をよりよく達成するために、本開示の実施例は、プロセッサと、メモリと、メモリに記憶されてプロセッサ上で実行可能で、プロセッサによって実行されると、上述した上り電力制御パラメータの設定方法のステップを実現するコンピュータプログラムとを含む、ネットワーク装置をさらに提供する。本開示の実施例は、プロセッサによって実行されると、上述した上り電力制御パラメータの設定方法のステップを実現するコンピュータプログラムが記憶されているコンピュータ読み取り可能な記憶媒体をさらに提供する。
【０１２６】
具体的には、本開示の実施例は、ネットワーク装置をさらに提供する。図６に示すように、該ネットワーク装置６００は、アンテナ６１、無線周波数装置６２及びベースバンド装置６３を含む。アンテナ６１は無線周波数装置６２と接続される。上り方向に、無線周波数装置６２はアンテナ６１により情報を受信し、かつ受信された情報をベースバンド装置６３に送信して処理する。下り方向に、ベースバンド装置６３は、送信すべき情報を処理し、かつ無線周波数装置６２に送信し、無線周波数装置６２は、受信された情報を処理してからアンテナ６１により送信する。
【０１２７】
上記帯域処理装置は、ベースバンド装置６３内に位置してもよく、以上の実施例のネットワーク装置が実行する方法は、ベースバンド装置６３において実現されてもよく、該ベースバンド装置６３はプロセッサ６４とメモリ６５を含む。
【０１２８】
ベースバンド装置６３は、例えば、複数のチップが設けられた少なくとも１つのベースバンドボードを含んでよく、図６に示すように、例えば、プロセッサ６４であるチップは、メモリ６５と接続されて、メモリ６５中のプログラムを呼び出して、以上の方法の実施例に示すネットワーク装置の動作を実行する。
【０１２９】
該ベースバンド装置６３は、無線周波数装置６２と情報を交換するネットワークインタフェース６６をさらに含んでよく、該インタフェースは、例えば、共通公衆無線インタフェース（ｃｏｍｍｏｎ  ｐｕｂｌｉｃ  ｒａｄｉｏ  ｉｎｔｅｒｆａｃｅ、ＣＰＲＩ）である。
【０１３０】
ここでのプロセッサは、１つのプロセッサであってもよく、複数の処理素子の総称であってもよく、例えば、該プロセッサはＣＰＵであってもよく、ＡＳＩＣであってもよく、或いは、以上のネットワーク装置によって実行される方法を実施するように配置された、１つ又は複数のマイクロプロセッサ、又は１つ又は複数のＤＳＰ、又は１つ又は複数のフィールドプログラマブルゲートアレイＦＰＧＡ等の１つ又は複数の集積回路である。  記憶素子は、１つのメモリであってもよく、複数の記憶素子の総称であってもよい。
【０１３１】
メモリ６５は、揮発性メモリ又は不揮発性メモリであってもよく、揮発性と不揮発性メモリの両方を含んでもよい。不揮発性メモリは、読み取り専用メモリ（Ｒｅａｄ  Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的消去可能なプログラマブル読み出し専用メモリ（Ｅｌｅｃｔｒｉｃａｌｌｙ  ＥＰＲＯＭ、ＥＥＰＲＯＭ）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってよい。例であって限定するものではないが、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲＲＡＭ）等の多くの形態にあるＲＡＭが使用され得る。本願において説明されるメモリ６５は、これらと任意の他の適切なタイプのメモリを含むが、これらに限定されない。
【０１３２】
具体的には、本開示の実施例のネットワーク装置は、メモリ６５に記憶されてプロセッサ上６４で実行可能なコンピュータプログラムをさらに含み、プロセッサ６４は、メモリ６５中のコンピュータプログラムを呼び出して、図５に示す各モジュールによって実行される方法を実行する。
【０１３３】
具体的には、プロセッサ６４によって呼び出されるときに、コンピュータプログラムは、電力制御項の少なくとも１つのパラメータ設定インデックス値又はパラメータ値を含む電力制御項のパラメータセットを少なくとも１つ含む電力制御パラメータセットを端末に送信するステップと、端末によって目標送信電力で送信された上りチャネル又は上り参照信号を受信するステップと、を実行することができ、目標送信電力は、端末によって電力制御パラメータセット中の第１の電力制御項の目標パラメータ設定インデックス値又は目標パラメータ値に基づいて決定される。
【０１３４】
具体的には、プロセッサ６４によって呼び出されるときに、コンピュータプログラムは、第１の電力制御項のパラメータ設定インデックス値又はパラメータ値を指示する目標指示フィールドが搬送されている下り制御情報ＤＣＩを端末に送信するステップを実行することができる。  
【０１３５】
具体的には、目標指示フィールドは、独立して符号化されるか、又は他の指示フィールドとジョイント符号化される。
【０１３６】
具体的には、プロセッサ６４によって呼び出されるときに、コンピュータプログラムは、目標指示フィールドが独立して符号化されると、ＤＣＩに目標指示フィールドが存在するか否かを指示する指示情報を端末に送信するステップを実行することができる。
【０１３７】
具体的には、プロセッサ６４によって呼び出されるときに、コンピュータプログラムは、電力制御パラメータセット中の複数の電力制御項の間の関連関係を端末に送信するステップを実行することができる。
【０１３８】
具体的には、電力制御項は、目標受信電力、パスロス補償因子、パスロス計算参照用下りチャネル又は参照信号のリソース識別子、及び閉ループ電力制御のプロセス識別子のうちの少なくとも１項を含む。
【０１３９】
具体的には、上りチャネルは、物理上り制御チャネルＰＵＣＣＨ、物理上り共有チャネルＰＵＳＣＨ、及び物理ランダムアクセスチャネルＰＲＡＣＨのうちの少なくとも１つを含み、上り参照信号は、サウンディング参照信号ＳＲＳを含む。
【０１４０】
ネットワーク装置は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）における基地局（Ｂａｓｅ  Ｔｒａｎｓｃｅｉｖｅｒ  Ｓｔａｔｉｏｎ、ＢＴＳ）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）における基地局（ＮｏｄｅＢ、ＮＢ）であってもよく、さらに、ＬＴＥにおける発展型基地局（Ｅｖｏｌｕｔｉｏｎａｌ  Ｎｏｄｅ  Ｂ、ｅＮＢ（又はｅＮｏｄｅＢ））又は中継局又はアクセスポイント、又は将来の５Ｇネットワークにおける基地局等であってもよく、ここでは限定されない。
【０１４１】
本開示の実施例のネットワーク装置は、電力制御パラメータセットを端末に送信し、端末は、電力制御パラメータセットから異なる電力制御項の目標パラメータ設定インデックス値又は目標パラメータ値を選択することにより、上りチャネル又は上り参照信号の目標送信電力を決定し、電力制御の正確性を向上させ、端末の消費電力を低減する。
【０１４２】
当業者であれば、本明細書に開示された実施例と組み合わせて説明された各例のユニット及びアルゴリズムステップは、電子ハードウェア、又はコンピュータソフトウェアと電子ハードウェアとの組み合わせにより実現されてもよいと理解できる。これらの機能がハードウェア又はソフトウェアの方式で実行されるかは、技術手段の特定のアプリケーション及び設計上の制約条件に依存する。当業者は、各特定のアプリケーションに対して異なる方法を使用して説明された機能を実現することができるが、このような実現は本開示の範囲を超えていると考えられるべきではない。
【０１４３】
当業者であれば、便利かつ簡潔で説明するために、上述したシステム、装置及びユニットの具体的な動作プロセスについて、前述の方法の実施例における対応するプロセスを参照できることを明確に理解できるので、ここでは説明を省略する。
【０１４４】
本願が提供する実施例では、開示された装置及び方法は他の方式により実現されてもよいことを理解されたい。例えば、上述した装置の実施例は、例示的なものに過ぎず、例えば、前記ユニットの区分は、論理機能の区分に過ぎず、実際に実施する時に他の区分方式もあり得て、例えば、複数のユニット又は部材は、結合されるか又は別のシステムに集積されてもよく、或いはいくつかの特徴が無視されてもよく、実行されなくてもよい。また、示されるか又は議論された相互結合又は直接結合又は通信接続は、いくつかのインタフェースを使用して実施でき、装置又はユニット間の間接的結合又は通信接続は、電気的、機械的なものであってもよく、他の形式であってもよい。
【０１４５】
分離部品として説明した上記ユニットは、物理的に分離しても物理的に分離しなくてもよく、ユニットとして表す部品は、物理ユニットであっても物理ユニットではなくてもよく、つまり、１つの箇所に位置しても、複数のネットワークユニットに分布してもよい。実際の需要に応じて、それらのうちの一部又は全部のユニットを選択して本実施例の技術手段の目的を達成することができる。
【０１４６】
また、本開示の各実施例の各機能ユニットは１つの処理ユニットに集積されてもよく、各ユニットは別個に物理的に存在してもよく、さらに２つ又は２つ以上のユニットは１つのユニットに集積されてもよい。
【０１４７】
上記機能がソフトウェア機能ユニットの形式で実現され、かつ独立した製品として販売又は使用されば、１つのコンピュータ読み取り可能な記憶媒体に記憶されてよい。このような理解に基づいて、本開示の技術手段の本質的に又は従来技術に貢献する部分又は該技術手段の一部は、ソフトウェア製品の形成で実現されてもよく、該コンピュータソフトウェア製品は、コンピュータ装置（パーソナルコンピュータ、サーバ、又はネットワーク装置等であってよい）に本開示の各実施例に記載の方法の全部又は一部のステップを実行させるためのいくつかの指令を含む記憶媒体に記憶されている。前述の記憶媒体は、ＵＳＢメモリ、モバイルハードディスク、ＲＯＭ、ＲＡＭ、ディスク又は光ディスク等の、プログラムコードを記憶できる各種の媒体を含む。
【０１４８】
なお、本開示の装置及び方法において、明らかに、各部品又は各ステップは、分解及び／又は再結合することができる。これらの分解及び／又は再結合は、本開示と同等の解決手段と見なされるべきである。上記一連の処理を実行するステップは、説明された順序、時間順序に従って自発的に実行できるが、必ずしも時間順序に従って実行することではなく、あるステップは並行又は互いに独立して実行することもできる。当業者であれば、本開示の方法及び装置の全部又はいずれかのステップ又は部品は、任意の計算装置（プロセッサ、記憶媒体等を含む）又は計算装置のネットワークにおいて、ハードウェア、ファームウェア、ソフトウェア又はそれらの組み合わせにより実現できると理解でき、これは、当業者が本開示の説明を読んだ上で彼らの基本的なプログラミングスキルを利用して実現できるものである。
【０１４９】
したがって、本開示の目的は、任意の計算装置で１つのプログラム又は一組のプログラムを実行して達成することもできる。上記計算装置は、公知の汎用装置であってもよい。したがって、本開示の目的は、上記方法又は装置を実現するプログラムコードを含むプログラム製品のみを提供することにより達成することもできる。つまり、このようなプログラム製品も本開示を構成するものであり、かつこのようなプログラム製品が記憶された記憶媒体も本開示を構成するものである。明らかに、上記記憶媒体は、任意の公知の記憶媒体又は将来開発される任意の記憶媒体であってもよい。なお、本開示の装置及び方法において、明らかに、各部品又は各ステップは、分解及び／又は再結合することができる。これらの分解及び／又は再結合は、本開示と同等の解決手段と見なされるべきである。そして、上記一連の処理を実行するステップは、説明された順序、時間順序に従って自発的に実行できるが、必ずしも時間順序に従って実行することではない。あるステップは並行又は互いに独立して実行することもできる。
【０１５０】
以上の説明は、本開示の好ましい実施形態であり、なお、当業者であれば、本開示の上記原理から逸脱しない前提でいくつかの改良と修飾を行ってもよく、これらの改良と修飾も本開示の保護範囲に含まれる。
【図１】
2021510977.tif 000014
【図２】
2021510977.tif 000015
【図３】
2021510977.tif 000016
【図４】
2021510977.tif 000017
【図５】
2021510977.tif 000018
【図６】
2021510977.tif 000019
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
端末側に適用される上り電力制御パラメータの設定方法であって、
ネットワーク装置から送信された、少なくとも１つのパラメータ設定インデックス値又はパラメータ値を含む電力制御項のパラメータセットを少なくとも１つ含む電力制御パラメータセットを受信するステップと、
前記電力制御パラメータセットの電力制御項のパラメータセットから、第１の電力制御項に対して目標パラメータ設定インデックス値又は目標パラメータ値を選択するステップと、
前記目標パラメータ設定インデックス値又は目標パラメータ値に基づいて、上りチャネル又は上り参照信号の目標送信電力を決定するステップと、を含む上り電力制御パラメータの設定方法。
【請求項２】
第１の電力制御項に対して目標パラメータ設定インデックス値又は目標パラメータ値を選択するステップは、
下り制御情報ＤＣＩに基づいて、前記第１の電力制御項に対して前記目標パラメータ設定インデックス値又は目標パラメータ値を選択するステップと、
前記第１の電力制御項のデフォルトパラメータ設定インデックス値又はデフォルトパラメータ値を、前記第１の電力制御項の前記目標パラメータ設定インデックス値又は目標パラメータ値として決定するステップと、
決定されたパラメータ設定インデックス値又はパラメータ値の第２の電力制御項に基づいて、前記第１の電力制御項の前記目標パラメータ設定インデックス値又は目標パラメータ値を決定するステップと、のうちの少なくとも１つを含み、前記第２の電力制御項は、前記第１の電力制御項に関連する、請求項１に記載の上り電力制御パラメータの設定方法。
【請求項３】
下り制御情報ＤＣＩに基づいて、第１の電力制御項に対して目標パラメータ設定インデックス値又は目標パラメータ値を選択するステップは、
前記ＤＣＩに第１の電力制御項のパラメータ設定インデックス値又はパラメータ値を指示する目標指示フィールドが存在するか否かを検出するステップと、
前記目標指示フィールドを検出すれば、前記目標指示フィールドに基づいて、前記第１の電力制御項に対して前記目標パラメータ設定インデックス値又は目標パラメータ値を選択するステップとを含む、請求項２に記載の上り電力制御パラメータの設定方法。
【請求項４】
前記目標指示フィールドに基づいて、前記第１の電力制御項に対して前記目標パラメータ設定インデックス値又は目標パラメータ値を選択するステップの後に、
前記第１の電力制御項に基づいて、前記第１の電力制御項に関連する他の電力制御項の目標パラメータ設定インデックス値又は目標パラメータ値を決定するステップをさらに含む、請求項３に記載の上り電力制御パラメータの設定方法。
【請求項５】
ＤＣＩに目標指示フィールドが存在するか否かを検出するステップの後に、
前記目標指示フィールドを検出しなければ、第１の電力制御項のデフォルトパラメータ設定インデックス値又はデフォルトパラメータ値を、前記目標パラメータ設定インデックス値又は目標パラメータ値として決定し、或いは、決定されたパラメータ設定インデックス値又はパラメータ値の第２の電力制御項に基づいて、前記第１の電力制御項の目標パラメータ設定インデックス値又は目標パラメータ値を決定するステップをさらに含む、請求項３に記載の上り電力制御パラメータの設定方法。
【請求項６】
前記目標指示フィールドは、独立して符号化されるか、又は他の指示フィールドとジョイント符号化され、
前記目標指示フィールドが独立して符号化されると、前記ＤＣＩに目標指示フィールドが存在するか否かを検出するステップの前に、
ネットワーク装置から送信された、前記ＤＣＩに目標指示フィールドが存在するか否かを指示する指示情報を受信するステップと、
前記指示情報を検出し、かつ前記指示情報が目標指示フィールドが存在することを指示すれば、前記ＤＣＩに目標指示フィールドが存在するか否かを検出するステップを実行するステップと、
前記指示情報を検出しなければ、第１の電力制御項のデフォルトパラメータ設定インデックス値又はデフォルトパラメータ値を、前記第１の電力制御項の目標パラメータ設定インデックス値又は目標パラメータ値として決定し、或いは、決定されたパラメータ設定インデックス値又はパラメータ値の第２の電力制御項に基づいて、前記第１の電力制御項の目標パラメータ設定インデックス値又は目標パラメータ値を決定するステップとをさらに含む、請求項３に記載の上り電力制御パラメータの設定方法。
【請求項７】
決定されたパラメータ設定インデックス値又はパラメータ値の第２の電力制御項に基づいて、前記第１の電力制御項の目標パラメータ設定インデックス値又は目標パラメータ値を決定するステップの前に、
前記電力制御パラメータセットの複数の電力制御項の間の関連関係を取得するステップをさらに含む、請求項２〜６のいずれか１項に記載の上り電力制御パラメータの設定方法。
【請求項８】
前記電力制御項は、目標受信電力、パスロス補償因子、パスロス計算参照用下りチャネル又は参照信号のリソース識別子、及び閉ループ電力制御のプロセス識別子のうちの少なくとも１種を含む、請求項１〜６のいずれか１項に記載の上り電力制御パラメータの設定方法。
【請求項９】
前記上りチャネルは、物理上り制御チャネルＰＵＣＣＨ、物理上り共有チャネルＰＵＳＣＨ、及び物理ランダムアクセスチャネルＰＲＡＣＨのうちの少なくとも１つを含み、前記上り参照信号は、サウンディング参照信号ＳＲＳを含む、請求項１〜６のいずれか１項に記載の上り電力制御パラメータの設定方法。
【請求項１０】
ネットワーク装置から送信された、少なくとも１つのパラメータ設定インデックス値又はパラメータ値を含む電力制御項のパラメータセットを少なくとも１つ含む電力制御パラメータセットを受信する第１の受信モジュールと、
前記電力制御パラメータセットの電力制御項のパラメータセットから、第１の電力制御項に対して目標パラメータ設定インデックス値又は目標パラメータ値を選択する第１の決定モジュールと、
前記目標パラメータ設定インデックス値又は目標パラメータ値に基づいて、上りチャネル又は上り参照信号の目標送信電力を決定する第２の決定モジュールとを含む、端末。
【請求項１１】
ネットワーク装置側に適用される上り電力制御パラメータの設定方法であって、
少なくとも１つのパラメータ設定インデックス値又はパラメータ値を含む電力制御項のパラメータセットを少なくとも１つ含む電力制御パラメータセットを端末に送信するステップと、
前記端末によって目標送信電力で送信された上りチャネル又は上り参照信号を受信するステップと、を含み、前記目標送信電力は、前記端末によって前記電力制御パラメータセット中の第１の電力制御項の目標パラメータ設定インデックス値又は目標パラメータ値に基づいて決定される、上り電力制御パラメータの設定方法。
【請求項１２】
前記端末によって目標送信電力で送信された上りチャネル又は上り参照信号を受信するステップの前に、
第１の電力制御項のパラメータ設定インデックス値又はパラメータ値を指示する目標指示フィールドが搬送されている下り制御情報ＤＣＩを前記端末に送信するステップをさらに含む、請求項１１に記載の上り電力制御パラメータの設定方法。
【請求項１３】
前記目標指示フィールドは、独立して符号化されるか、又は他の指示フィールドとジョイント符号化され、
前記目標指示フィールドが独立して符号化されると、目標指示フィールドが搬送されている下り制御情報ＤＣＩを前記端末に送信するステップの前に、
ＤＣＩに目標指示フィールドが存在するか否かを指示する指示情報を前記端末に送信するステップをさらに含む、請求項１２に記載の上り電力制御パラメータの設定方法。
【請求項１４】
前記電力制御項は、目標受信電力、パスロス補償因子、パスロス計算参照用下りチャネル又は参照信号のリソース識別子、及び閉ループ電力制御のプロセス識別子のうちの少なくとも１種であり、
及び／又は
前記上りチャネルは、物理上り制御チャネルＰＵＣＣＨ、物理上り共有チャネルＰＵＳＣＨ、及び物理ランダムアクセスチャネルＰＲＡＣＨのうちの少なくとも１つを含み、前記上り参照信号は、サウンディング参照信号ＳＲＳを含む、請求項１１〜１３のいずれか１項に記載の上り電力制御パラメータの設定方法。
【請求項１５】
少なくとも１つのパラメータ設定インデックス値又はパラメータ値を含む電力制御項のパラメータセットを少なくとも１つ含む電力制御パラメータセットを端末に送信する第１の送信モジュールと、
前記端末によって目標送信電力で送信された上りチャネル又は上り参照信号を受信する第３の受信モジュールと、を含み、前記目標送信電力は、前記端末によって前記電力制御パラメータセット中の第１の電力制御項の目標パラメータ設定インデックス値又は目標パラメータ値に基づいて決定される、ネットワーク装置。
【国際調査報告】
2021510977.tif 000020
2021510977.tif 000021
2021510977.tif 000022
2021510977.tif 000023